(57)【特許請求の範囲】
【請求項１】
収納カセットを内蔵する引出し部をスライドレールにより装置フレームから引き出して前記収納カセットを着脱する紙幣入出金機において、
前記スライドレールは、２本の段違いのスライドレールであって、前記収納カセットの着脱を操作する側のスライドレールを低い位置としたことを特徴とする紙幣入出金機。
【請求項２】
前記装置フレーム内に前記引出し部を収納するときに互いに勘合するガイドレールとガイドローラを備え、
前記ガイドレールは、前記装置フレーム底部の引出し方向から見て略中央位置に配置し、前記ガイドローラは、前記引出し部底部の引出し方向から見て略中央位置に配置するようにしたことを特徴とする請求項１記載の紙幣入出金機。
【請求項３】
前記装置フレーム内に前記引出し部を収納するときに互いに勘合するガイドレールとガイドローラを備え、
前記ガイドレールおよび前記ガイドローラは、引出し方向から見て前記２本の段違いのスライドレールのそれぞれから等距離の位置に配置するようにしたことを特徴とする請求項１記載の紙幣入出金機。
【発明の詳細な説明】
【技術分野】
【０００１】
本発明は、紙幣入出金機等において紙幣等を収納する収納カセットを内蔵する金庫ユニット等の引出し部をスライドレールにより引き出す構造に関するものである。
【背景技術】
【０００２】
一般に、紙幣入出金機１は、図５に示したように、図示しない操作モニタや入出金部、操作部等が設けられた操作カバー部１４と、後述の紙幣収納カセット４を内蔵した金庫ユニット等の引出し部６と、その他の部分を蔽う装置フレーム５とを備える。
【０００３】
そして、紙幣入出金機１の内部には、入金または出金された紙幣等を格納する入出金部１２と、入出金された紙幣等を鑑別する鑑別部２と、入金された紙幣等を一時保留する一時保留部３と、鑑別部２により鑑別できなかった紙幣等を収納するリジェクト部１１を備える。
【０００４】
そして、図６に示したように、装置フレーム５の内側の側面には同じ高さにスライドレール７が２本備えられており、引出し部６を矢印Ａのように正面側に引き出して引出し部６内の紙幣収納カセット４を着脱して紙幣の補充や回収などを行うことができるようになっている（例えば、特許文献１参照。）。
【先行技術文献】
【特許文献】
【０００５】
【特許文献１】実開平０３−５８７６９号公報
【発明の概要】
【発明が解決しようとする課題】
【０００６】
しかしながら、保守等において、操作者が紙幣収納カセット４を図６の矢印Ｂ方向から着脱する際、紙幣収納カセット４が手前のスライドレール７にぶつかり、着脱し難いという問題があった。
【０００７】
また、近年では、紙幣入出金機の軽量化が求められており、引出し部６の板金の薄板化が図られ、上記従来の紙幣入出金機の支持構造では、引出し部６の揺れ等により引出し部６が歪み、装置フレーム５に対する引出し部６の位置がずれた状態で装置フレーム５内に収納されてしまうという問題が発生していた。
【課題を解決するための手段】
【０００８】
本発明は、前述の課題を解決するために次の構成を採用する。すなわち、収納カセットを内蔵する引出し部をスライドレールにより装置フレームから引き出して前記収納カセットを着脱する紙幣入出金機において、前記スライドレールは、２本の段違いのスライドレールであって、操作する側のスライドレールを低い位置とした。
【発明の効果】
【０００９】
本発明の紙幣入出金機によれば、収納カセットを内蔵する引出し部をスライドレールにより装置フレームから引き出して前記収納カセットを着脱する紙幣入出金機において、前記スライドレールは、２本の段違いのスライドレールであって、操作する側のスライドレールを低い位置としたので、前記収納カセットの着脱を容易とすることができる。或いは、さらに、装置フレーム内側底部にガイドレールを備え、引出し部の底部にガイドローラを備え、装置フレーム内に引出し部を収納するときに互いに勘合するようにしたので、引出し部の剛性が低い場合であっても装置フレームに対する引出し部の位置がずれた状態で装置フレーム内に収納されることがない。
【図面の簡単な説明】
【００１０】
【図１】実施例１の紙幣入出金機の構成図である。
【図２】実施例１の紙幣入出金機の不具合の説明図である。
【図３】実施例２の紙幣入出金機の構成図である。
【図４】実施例３の紙幣入出金機の構成図である。
【図５】紙幣入出金機の外観斜視図である。
【図６】従来の紙幣入出金機の構成図である。
【発明を実施するための形態】
【００１１】
以下、本発明に係わる実施の形態例を、図面を用いて説明する。図面に共通する要素には同一の符号を付す。なお、以下の説明では、媒体として紙幣を取り扱う紙幣入出金機を例として説明するが、収納カセットを内蔵する引出し部をスライドレールにより引き出す構成の装置であれば、硬貨やその他の媒体を取扱う現金処理装置にも本発明を適用することができる。
【実施例１】
【００１２】
（構成）
実施例１の紙幣入出金機１の内部の構成を示す図１を用いて以下詳細に説明する。なお、外観図は、従来技術の説明にて説明した図５と同様であるので、簡略化のためにその詳細な説明は省略する。
【００１３】
図１に示したように、実施例１の紙幣入出金機１では、引出し部６は２本の段違いのスライドレール７ａ、７ｂにより水平方向（矢印Ａ方向）に引き出し可能に支持された構成となっている。
【００１４】
ところで、引出し部６を安定して引き出せるようにするためにはスライドレール７ａ、７ｂをできるだけ高い位置に設けた方が、引き出す際の引出し部６の揺れ等を少なくすることができる。
【００１５】
このため、矢印Ｂ方向から見て後ろ側のスライドレール７ｂは高い位置に設け、紙幣収納カセット４の着脱を操作する側となる手前のスライドレール７ａは、紙幣収納カセット４をスライドレール７にぶつけることなく着脱できるように低い位置に設けている。
【００１６】
（動作）
以上の構成により実施例１の紙幣入出金機１は、以下のように動作する。この動作を前出図１を用いて以下詳細に説明する。
【００１７】
実施例１の紙幣入出金機１では、引出し部６を２本の段違いのスライドレール７ａ、７ｂにより水平方向に引き出しできるように支持し、矢印Ｂ方向から見て後ろ側のスライドレール７ｂを高い位置に設け、操作する側となる手前のスライドレール７ａを低い位置に設けているので、収納の際の引出し部６の揺れ等による位置ずれが少なく、紙幣収納カセット４をスライドレール７にぶつけることなく容易に着脱できる。
【００１８】
（実施例１の効果）
以上のように、実施例１の紙幣入出金機によれば、収納カセットを内蔵する引出し部をスライドレールにより装置フレームから引き出して前記収納カセットを着脱する紙幣入出金機において、前記スライドレールは、２本の段違いのスライドレールであって、前記収納カセットの着脱を操作する側のスライドレールを低い位置としたので、紙幣収納カセットの着脱を容易にすることができる。
【実施例２】
【００１９】
（構成）
ところで、実施例１の紙幣入出金機１では、スライドレール７ａ、７ｂを紙幣収納カセットの着脱を容易にするために段差を設けて配置しているため、引出し部６の剛性が低い場合、装置フレーム５に対し引出し部６が図２に示したように歪んでしまい、引出し部６を紙幣入出金機１内に収めたときに位置ずれが発生し搬送路がずれて形成されてしまう。
【００２０】
実施例２の紙幣入出金機では、上記不具合を解消するために、図３に示したように、装置フレーム５底部の引出し側から見て略中央にガイドレール８を備え、引出し部６底部の引出し側から見て略中央にガイドローラ９を備え、装置フレーム５内に引出し部６を収納するときに互いに勘合するようにしている。なお、図３では、ガイドレール８、ガイドローラ９の位置を引出し側先端に設けた例を示したが、奥側や中央位置に設けるようにしてもよい。その他の構成は実施例１の紙幣入出金機と同様であるので簡略化のためにその詳細な説明は省略する。
【００２１】
（動作）
以上の構成により、実施例２の紙幣入出金機は、以下のように動作する。この動作を前出図３を用いて以下詳細に説明する。
【００２２】
装置フレーム５内に引出し部６を収納するときに、引出し部６の底部略中央に備えたガイドローラ９が装置フレーム５内側の底部略中央に備えたガイドレール８に嵌り、相対位置を規制することにより引出し部６の歪みが矯正される。
【００２３】
スライドレール７ａ、７ｂによる支持２箇所とガイドレール８およびガイドローラ９による支持１箇所の合計３点の支持部は引出し部６の異なる３面を支持するので、引出し部６を引き出したときに操作員の上面からの操作を妨げることなく、かつ、引出し部６を収納したときに引出し部６の歪みが矯正され、装置フレーム５に対する引出し部６の位置ずれが発生しない。
【００２４】
（実施例２の効果）
以上のように、実施例２の紙幣入出金機によれば、装置フレーム内に引出し部を収納するときに互いに勘合するガイドレールとガイドローラを備え、前記ガイドレールは、前記装置フレーム底部の引出し方向から見て略中央位置に配置し、前記ガイドローラは、前記引出し部底部の引出し方向から見て略中央位置に配置するようにしたので、実施例１の効果に加え、引出し部の剛性が低い場合であっても装置フレームに対する引出し部の位置がずれた状態で装置フレーム内に収納されることがない。
【実施例３】
【００２５】
（構成）
実施例３の紙幣入出金機１の構成を図４の構成図を用いて以下詳細に説明する。同図（ｂ）の正面図の一点鎖線で示したように、実施例３の紙幣入出金機１では、装置フレーム５の内側の底部に備えるガイドレール８と引出し部６の底部に備えるガイドローラ９の位置を、引出し方向から見てスライドレール７ａによる支持位置とスライドレール７ｂによる支持位置からともに略等しい位置、すなわちＬａ≒Ｌｂになるように配置している。なお、図４では、ガイドレール８、ガイドローラ９の位置を引出し側先端に設けた例を示したが、実施例２と同様、奥側や中央位置に設けるようにしてもよい。その他の構成は実施例２の紙幣入出金機と同様であるので簡略化のためにその詳細な説明は省略する。
【００２６】
（動作）
以上の構成により実施例３の紙幣入出金機１は、以下のように動作する。この動作を前出図４を用いて以下詳細に説明する。
【００２７】
実施例２と同様、装置フレーム５に引出し部６を収納したときに、ガイドローラ９がガイドレール８に嵌合し、相対位置を規制することで引出し部６の歪みを矯正する。
【００２８】
このとき、スライドレール７ａ、７ｂによる支持２箇所と、ガイドレール８とガイドローラ９による支持１箇所の合計３点の支持部は、引出し方向から見て２点間の距離ＬａおよびＬｂが略等しい関係、すなわちＬａ≒Ｌｂとなるように配置されているので、引出し部６の歪みによるスライドレール７ａおよび７ｂからの力をバランス良く吸収でき、引出し部６の歪みを矯正する効果が最大となる。
【００２９】
（実施例３の効果）
以上のように、実施例３の紙幣入出金機によれば、装置フレーム内に引出し部を収納するときに互いに勘合するガイドレールとガイドローラを備え、前記ガイドレールおよび前記ガイドローラは、引出し方向から見て前記２本の段違いのスライドレールのそれぞれから等距離の位置に配置するようにしたので、実施例２の効果に加え、さらに引出し部の歪みを矯正し、収納したときの装置フレームに対する引出し部の位置ずれを最小にすることができる。
【産業上の利用可能性】
【００３０】
以上述べたように、本発明は、収納カセットを内蔵する金庫ユニット等の引出し部をスライドレールにより引き出して収納カセットを着脱する紙幣入出金機等の現金処理装置に広く用いることができる。
【符号の説明】
【００３１】
１    紙幣入出金機
４    紙幣収納カセット
５    装置フレーム
６    引出し部
７、７ａ、７ｂ    スライドレール
８    ガイドレール
９    ガイドローラ
【図１】
0005472047.tif 000002
【図２】
0005472047.tif 000003
【図３】
0005472047.tif 000004
【図４】
0005472047.tif 000005
【図５】
0005472047.tif 000006
【図６】
0005472047.tif 000007